(57)【特許請求の範囲】
【請求項１】
物体側から順に、正の屈折力の第１レンズ群と、負の屈折力の第２レンズ群と、正の屈折力の第３レンズ群と、正の屈折力の第４レンズ群とから構成されていること；
短焦点距離端から長焦点距離端への変倍に際し、第１レンズ群ないし第４レンズ群が光軸方向に移動すること；
第４レンズ群は、物体側から順に、正単レンズと、負の接合レンズ群と、正単レンズとからなること；及び
次の条件式（１）、（３）を満足すること；
を特徴とするズームレンズ系。
（１）νｄ４Ｇｐｆｂ＞７３
（３）０．８５＜ｆ４Ｇｐｆ／ｆ４Ｇｐｂ＜１．５
但し、
νｄ４Ｇｐｆｂ：第４レンズ群中の最も物体側と最も像側の２枚の正単レンズのうちの少なくともいずれかの正単レンズのｄ線に対するアッベ数、
ｆ４Ｇｐｆ：第４レンズ群中の最も物体側の正単レンズの焦点距離、
ｆ４Ｇｐｂ：第４レンズ群中の最も像側の正単レンズの焦点距離。
【請求項２】
物体側から順に、正の屈折力の第１レンズ群と、負の屈折力の第２レンズ群と、正の屈折力の第３レンズ群と、正の屈折力の第４レンズ群とから構成されていること；
短焦点距離端から長焦点距離端への変倍に際し、第１レンズ群ないし第４レンズ群が光軸方向に移動すること；
第４レンズ群は、物体側から順に、正単レンズと、負の接合レンズ群と、正単レンズとからなること；及び
次の条件式（２）を満足すること；
を特徴とするズームレンズ系。
（２）νｄ４Ｇｐｆ＞７３
但し、
νｄ４Ｇｐｆ：第４レンズ群中の最も物体側の正単レンズのｄ線に対するアッベ数。
【請求項３】
請求項２記載のズームレンズ系において、次の条件式（３）を満足するズームレンズ系。
（３）０．８５＜ｆ４Ｇｐｆ／ｆ４Ｇｐｂ＜１．５
但し、
ｆ４Ｇｐｆ：第４レンズ群中の最も物体側の正単レンズの焦点距離、
ｆ４Ｇｐｂ：第４レンズ群中の最も像側の正単レンズの焦点距離。
【請求項４】
請求項１ないし３のいずれか１項記載のズームレンズ系において、第４レンズ群中の最も物体側の正単レンズは、少なくとも１面に非球面を有しているズームレンズ系。
【請求項５】
請求項１ないし４のいずれか１項記載のズームレンズ系において、第４レンズ群は、物体側から順に、両凸正レンズと、両凸正レンズと両凹負レンズの接合レンズと、両凸正レンズとからなるズームレンズ系。
【請求項６】
請求項１ないし５のいずれか１項記載のズームレンズ系において、次の条件式（４）を満足するズームレンズ系。
（４）５．０＜ｆＧ１／ｆｗ＜８．０
但し、
ｆＧ１：第１レンズ群の焦点距離、
ｆｗ：短焦点距離端における全系の焦点距離。
【発明の詳細な説明】
【技術分野】
【０００１】
本発明は、デジタルカメラ等の撮像機器に搭載して好適なズームレンズ系に関する。
【背景技術】
【０００２】
従来、デジタル一眼レフカメラ用のズームレンズ系は各種タイプが知られているが、比較的広画角を包括し、変倍比が５〜１０倍前後の高変倍なズームレンズ系としては、一般的に、物体側から順に正、負、正、正の４群タイプが用いられる（特許文献１〜３）。
【０００３】
一方、デジタル一眼レフカメラでは、撮像素子の高画素化に伴い、全焦点距離にわたり、より高い光学性能を有する光学系が求められている。画質の低下の中でも目立ちやすい収差として色収差が挙げられる。近年では、カメラ内部やパソコンソフトによる画像処理（後処理）で色収差の修正が可能となっているが、より解像感の高い光学性能を得るためには、光学系の色収差を十分に低減することが要求される。
【先行技術文献】
【特許文献】
【０００４】
【特許文献１】特開２０１３−５４１６４号公報
【特許文献２】特開２０１０−２７６６５６号公報
【特許文献３】特開２００７−２６４３８１号公報
【発明の概要】
【発明が解決しようとする課題】
【０００５】
この点、特許文献１〜３のズームレンズ系は、諸収差、特に色収差の補正が十分ではなく、より高画素なデジタル一眼レフカメラ用のズームレンズ系としては、良好な光学性能を達成できていないという問題がある。
【０００６】
本発明は、以上の問題意識に基づいてなされたものであり、諸収差、特に色収差を良好に補正して優れた光学性能を達成することができるズームレンズ系を得ることを目的とする。
【課題を解決するための手段】
【０００７】
本発明のズームレンズ系は、その一態様では、物体側から順に、正の屈折力の第１レンズ群と、負の屈折力の第２レンズ群と、正の屈折力の第３レンズ群と、正の屈折力の第４レンズ群とから構成されていること；短焦点距離端から長焦点距離端への変倍に際し、第１レンズ群ないし第４レンズ群が光軸方向に移動すること；第４レンズ群は、物体側から順に、正単レンズと、負の接合レンズ群と、正単レンズとからなること；及び次の条件式（１）、（３）を満足すること；を特徴としている。
（１）νｄ４Ｇｐｆｂ＞７３
（３）０．８５＜ｆ４Ｇｐｆ／ｆ４Ｇｐｂ＜１．５
但し、
νｄ４Ｇｐｆｂ：第４レンズ群中の最も物体側と最も像側の２枚の正単レンズのうちの少なくともいずれかの正単レンズのｄ線に対するアッベ数、
ｆ４Ｇｐｆ：第４レンズ群中の最も物体側の正単レンズの焦点距離、
ｆ４Ｇｐｂ：第４レンズ群中の最も像側の正単レンズの焦点距離、
である。
【０００８】
本発明のズームレンズ系は、条件式（１）が規定する条件式範囲の中でも、次の条件式（１’）を満足することが好ましい。
（１’）νｄ４Ｇｐｆｂ＞８０
【０００９】
本発明のズームレンズ系は、別の態様では、物体側から順に、正の屈折力の第１レンズ群と、負の屈折力の第２レンズ群と、正の屈折力の第３レンズ群と、正の屈折力の第４レンズ群とから構成されていること；短焦点距離端から長焦点距離端への変倍に際し、第１レンズ群ないし第４レンズ群が光軸方向に移動すること；第４レンズ群は、物体側から順に、正単レンズと、負の接合レンズ群と、正単レンズとからなること；及び次の条件式（２）を満足すること；を特徴としている。
（２）νｄ４Ｇｐｆ＞７３
但し、
νｄ４Ｇｐｆ：第４レンズ群中の最も物体側の正単レンズのｄ線に対するアッベ数、
である。
【００１０】
本発明のズームレンズ系は、条件式（２）が規定する条件式範囲の中でも、次の条件式（２’）を満足することが好ましい。
（２’）νｄ４Ｇｐｆ＞８０
【００１１】
第４レンズ群中の最も物体側の正単レンズは、少なくとも１面に非球面を有することが好ましい。
【００１２】
本発明のズームレンズ系は、次の条件式（３）を満足することが好ましい。
（３）０．８５＜ｆ４Ｇｐｆ／ｆ４Ｇｐｂ＜１．５
但し、
ｆ４Ｇｐｆ：第４レンズ群中の最も物体側の正単レンズの焦点距離、
ｆ４Ｇｐｂ：第４レンズ群中の最も像側の正単レンズの焦点距離、
である。
【００１３】
本発明のズームレンズ系は、条件式（３）が規定する条件式範囲の中でも、次の条件式（３’）を満足することが好ましい。
（３’）１．０＜ｆ４Ｇｐｆ／ｆ４Ｇｐｂ＜１．３
【００１４】
第４レンズ群は、物体側から順に、両凸正レンズ（正単レンズ）と、両凸正レンズと両凹負レンズの接合レンズ（負の接合レンズ群）と、両凸正レンズ（正単レンズ）とから構成することが好ましい。
【００１５】
本発明のズームレンズ系は、次の条件式（４）を満足することが好ましい。
（４）５．０＜ｆＧ１／ｆｗ＜８．０
但し、
ｆＧ１：第１レンズ群の焦点距離、
ｆｗ：短焦点距離端における全系の焦点距離、
である。
【００１６】
本発明のズームレンズ系は、条件式（４）が規定する条件式範囲の中でも、次の条件式（４’）を満足することが好ましい。
（４’）６．４＜ｆＧ１／ｆｗ＜８．０
【発明の効果】
【００１７】
本発明によれば、諸収差、特に色収差を良好に補正して優れた光学性能を達成することができるズームレンズ系が得られる。
【図面の簡単な説明】
【００１８】
【図１】本発明によるズームレンズ系の数値実施例１の短焦点距離端における無限遠合焦時のレンズ構成図である。
【図２】図１の構成における諸収差図である。
【図３】図１の構成における横収差図である。
【図４】同数値実施例１の長焦点距離端における無限遠合焦時のレンズ構成図である。
【図５】図４の構成における諸収差図である。
【図６】図４の構成における横収差図である。
【図７】本発明によるズームレンズ系の数値実施例２の短焦点距離端における無限遠合焦時のレンズ構成図である。
【図８】図７の構成における諸収差図である。
【図９】図７の構成における横収差図である。
【図１０】同数値実施例２の長焦点距離端における無限遠合焦時のレンズ構成図である。
【図１１】図１０の構成における諸収差図である。
【図１２】図１０の構成における横収差図である。
【図１３】本発明によるズームレンズ系の数値実施例３の短焦点距離端における無限遠合焦時のレンズ構成図である。
【図１４】図１３の構成における諸収差図である。
【図１５】図１３の構成における横収差図である。
【図１６】同数値実施例３の長焦点距離端における無限遠合焦時のレンズ構成図である。
【図１７】図１６の構成における諸収差図である。
【図１８】図１６の構成における横収差図である。
【図１９】本発明によるズームレンズ系の数値実施例４の短焦点距離端における無限遠合焦時のレンズ構成図である。
【図２０】図１９の構成における諸収差図である。
【図２１】図１９の構成における横収差図である。
【図２２】同数値実施例４の長焦点距離端における無限遠合焦時のレンズ構成図である。
【図２３】図２２の構成における諸収差図である。
【図２４】図２２の構成における横収差図である。
【図２５】本発明によるズームレンズ系の数値実施例５の短焦点距離端における無限遠合焦時のレンズ構成図である。
【図２６】図２５の構成における諸収差図である。
【図２７】図２５の構成における横収差図である。
【図２８】同数値実施例５の長焦点距離端における無限遠合焦時のレンズ構成図である。
【図２９】図２８の構成における諸収差図である。
【図３０】図２８の構成における横収差図である。
【図３１】本発明によるズームレンズ系の数値実施例６の短焦点距離端における無限遠合焦時のレンズ構成図である。
【図３２】図３１の構成における諸収差図である。
【図３３】図３１の構成における横収差図である。
【図３４】同数値実施例６の長焦点距離端における無限遠合焦時のレンズ構成図である。
【図３５】図３４の構成における諸収差図である。
【図３６】図３４の構成における横収差図である。
【図３７】本発明によるズームレンズ系の数値実施例７の短焦点距離端における無限遠合焦時のレンズ構成図である。
【図３８】図３７の構成における諸収差図である。
【図３９】図３７の構成における横収差図である。
【図４０】同数値実施例７の長焦点距離端における無限遠合焦時のレンズ構成図である。
【図４１】図４０の構成における諸収差図である。
【図４２】図４０の構成における横収差図である。
【図４３】本発明によるズームレンズ系の数値実施例８の短焦点距離端における無限遠合焦時のレンズ構成図である。
【図４４】図４３の構成における諸収差図である。
【図４５】図４３の構成における横収差図である。
【図４６】同数値実施例８の長焦点距離端における無限遠合焦時のレンズ構成図である。
【図４７】図４６の構成における諸収差図である。
【図４８】図４６の構成における横収差図である。
【図４９】本発明によるズームレンズ系のズーム軌跡を示す簡易移動図である。
【発明を実施するための形態】
【００１９】
本実施形態のズームレンズ系は、全数値実施例１−８を通じて、図４９の簡易移動図に示すように、物体側から順に、正の屈折力の第１レンズ群Ｇ１と、負の屈折力の第２レンズ群Ｇ２と、正の屈折力の第３レンズ群Ｇ３と、正の屈折力の第４レンズ群Ｇ４とから構成されている。第２レンズ群Ｇ２と第３レンズ群Ｇ３の間（第３レンズ群Ｇ３の直前）には絞りＳが位置しており、この絞りＳは、第３レンズ群Ｇ３と一体に移動する。Ｉは像面である。
【００２０】
本実施形態のズームレンズ系は、全数値実施例１−８を通じて、図４９の簡易移動図に示すように、短焦点距離端（Ｗｉｄｅ）から長焦点距離端（Ｔｅｌｅ）への変倍に際し、第１レンズ群Ｇ１ないし第４レンズ群Ｇ４が物体側に移動し（繰り出され）、その結果、第１レンズ群Ｇ１と第２レンズ群Ｇ２の間隔が増大し、第２レンズ群Ｇ２と第３レンズ群Ｇ３の間隔が減少し、第３レンズ群Ｇ３と第４レンズ群Ｇ４の間隔が減少する。
【００２１】
なお、図４９に示したズーム軌跡はあくまでも一例であり、ズーム軌跡には種々の設計変更が可能である。
例えば、短焦点距離端から長焦点距離端への変倍に際し、第１レンズ群Ｇ１ないし第４レンズ群Ｇ４が移動する方向は物体側に限定されることはなく、第１レンズ群Ｇ１ないし第４レンズ群Ｇ４の一部が像側に移動する態様も可能である（要するに光軸方向に移動すればよい）。
また、短焦点距離端から長焦点距離端への変倍に際し、第１レンズ群Ｇ１と第２レンズ群Ｇ２の間隔が減少もしくは殆ど変化しない態様、第２レンズ群Ｇ２と第３レンズ群Ｇ３の間隔が増加もしくは殆ど変化しない態様、または、第３レンズ群Ｇ３と第４レンズ群Ｇ４の間隔が増加もしくは殆ど変化しない態様も可能である。すなわち、短焦点距離端から長焦点距離端への変倍に際し、第１レンズ群Ｇ１ないし第４レンズ群Ｇ４の間隔がどのように変化するかについては自由度がある。
【００２２】
第１レンズ群Ｇ１は、物体側から順に、負レンズ１１と正レンズ１２の接合レンズと、正レンズ１３とからなる。
【００２３】
第２レンズ群Ｇ２は、物体側から順に、負レンズ２１と、負レンズ２２と、正レンズ２３と、負レンズ２４と正レンズ２５の接合レンズとからなる。負レンズ２１は、ガラスレンズの物体側の面に合成樹脂材料による非球面層が接着形成されたハイブリッドレンズからなる。このハイブリッドレンズの非球面は、光軸から離れるにしたがって正の屈折力が強くなる形状（性質）を有している。
【００２４】
第３レンズ群Ｇ３は、物体側から順に、正レンズ３１と、正レンズ３２と負レンズ３３の接合レンズと、負レンズ３４とからなる。負レンズ３４の物体側の面には、光軸から離れるにしたがって負の屈折力が弱くなる形状（性質）を有する非球面が形成されている。
【００２５】
第４レンズ群Ｇ４は、物体側から順に、正レンズ（正単レンズ）４１と、正レンズ４２と負レンズ４３の接合レンズ（負の接合レンズ群）と、正レンズ（正単レンズ）４４とからなる。正レンズ４１の像側の面には、光軸から離れるにしたがって正の屈折力が弱くなる形状（性質）を有する非球面が形成されている。第４レンズ群Ｇ４中の最も物体側の正レンズ（正単レンズ）４１と最も像側の正レンズ（正単レンズ）４４はともに、ｄ線に対するアッベ数が７３を超える異常分散性を示す硝材からなる。
【００２６】
本実施形態のズームレンズ系は、正負正正の４群ズームレンズ構成であり、広角域を包括した高倍率なズームレンズ系である。そして本実施形態のズームレンズ系は、正の屈折力の第４レンズ群Ｇ４の構成を最適設計することにより、色収差を含む諸収差を良好に補正して優れた光学性能を達成することに成功している。
【００２７】
すなわち、第４レンズ群Ｇ４を物体側から順に正負正の屈折力のレンズ配置（負の接合レンズ群を物体側と像側の２枚の正単レンズで挟み込む配置）にすることで、第４レンズ群Ｇ４内の屈折力の配置が対称に近くなり、コマ収差等の諸収差を良好に補正することができる。また、第４レンズ群Ｇ４中の負の接合レンズ群を正レンズと負レンズの接合レンズから構成することで、色収差を良好に補正することができる。なお、第４レンズ群Ｇ４中の負の接合レンズ群は、必ずしも正レンズと負レンズの接合レンズから構成する必要は無く、例えば、３枚以上のレンズからなる負の屈折力の接合レンズから構成する態様も可能である。
【００２８】
第４レンズ群Ｇ４中の最も物体側の正レンズ４１を非球面レンズにすることで、全焦点距離域（変倍全域）にわたり球面収差、コマ収差、非点収差、歪曲等の諸収差を好適にバランスさせて、優れた光学性能を達成することができる。なお、正レンズ４１の物体側の面だけに非球面を形成する態様または正レンズ４１の両面に非球面を形成する態様も可能である。
【００２９】
そして本実施形態のズームレンズ系は、第４レンズ群Ｇ４中の最も物体側の正レンズ（正単レンズ）４１と最も像側の正レンズ（正単レンズ）４４をともに、ｄ線に対するアッベ数が７３を超える異常分散性を示す硝材から構成している。これにより、全焦点距離域（変倍全域）にわたって色収差（軸上色収差や倍率色収差）を良好に補正して優れた光学性能を得ることができる。なお、第４レンズ群Ｇ４中の最も物体側の正レンズ（正単レンズ）４１と最も像側の正レンズ（正単レンズ）４４のいずれか一方だけをｄ線に対するアッベ数が７３を超える異常分散性を示す硝材から構成する態様も可能である。
【００３０】
第４レンズ群Ｇ４中の最も物体側の正レンズ（正単レンズ）４１だけをｄ線に対するアッベ数が７３を超える異常分散性を示す硝材から構成することで次のような作用効果が得られる。
すなわち、色収差補正のためには第４レンズ群Ｇ４中に異常分散性を示すレンズ（例えば特殊低分散レンズ）を設けることが好ましいが、仮に第４レンズ群Ｇ４中の最も像側（光学系の露出面）に特殊低分散レンズを設けるとヤケ（レンズに使われるガラスや接着剤が経年変化で黄色や茶色に変色する）の問題が発生しやすくなる。
ヤケを回避するために第４レンズ群Ｇ４中の最も物体側あるいは中央の接合レンズに特殊低分散レンズを設けることが考えられるが、特殊低分散レンズの接合は組立上の扱いが極めて難しい。
第４レンズ群Ｇ４中の最も物体側に特殊低分散レンズを設けると、屈折力が低くなってしまうため、球面収差、コマ収差、非点収差がやや問題となる。しかし、この問題は、例えば、第４レンズ群Ｇ４中の最も物体側のレンズに、光軸から離れるにしたがって正の屈折力が弱くなるような形状（性質）を有する非球面を形成し、第４レンズ群Ｇ４中の最も物体側のレンズのパワー（他のレンズとのパワーバランス）を最適設定するといった対策で解決することができる。
【００３１】
条件式（１）及び（１’）は、第４レンズ群Ｇ４中の最も物体側と最も像側の２枚の正単レンズ（４１と４４）のうちの少なくともいずれかの正単レンズのｄ線に対するアッベ数を規定している。
条件式（１）を満足することで、全焦点距離域（変倍全域）にわたって軸上色収差と倍率色収差の補正を両立させた、優れた光学性能を得ることができる。この効果は条件式（１’）を満足することでより一層顕著に得ることができる。
条件式（１）を満足しないと、全焦点距離域（変倍全域）にわたって色収差（軸上色収差や倍率色収差）を補正するのが難しくなり（軸上色収差と倍率色収差の補正を両立させるのが難しくなり）、光学性能が劣化してしまう。
【００３２】
条件式（２）及び（２’）は、第４レンズ群Ｇ４中の最も物体側の正単レンズ４１のｄ線に対するアッベ数を規定している。
条件式（２）を満足することで、全焦点距離域（変倍全域）にわたって軸上色収差と倍率色収差の補正を両立させた、優れた光学性能を得ることができる。この効果は条件式（２’）を満足することでより一層顕著に得ることができる。
条件式（２）を満足しないと、全焦点距離域（変倍全域）にわたって色収差（軸上色収差や倍率色収差）を補正するのが難しくなり（軸上色収差と倍率色収差の補正を両立させるのが難しくなり）、光学性能が劣化してしまう。
【００３３】
条件式（３）及び（３’）は、第４レンズ群Ｇ４中の最も物体側の正単レンズ４１と最も像側の正単レンズ４４のパワーバランスを規定している。
条件式（３）を満足することで、全焦点距離域（変倍全域）にわたってコマ収差、球面収差、軸上色収差、像面湾曲、非点収差、歪曲を良好に補正して優れた光学性能を得ることができる。この効果は条件式（３’）を満足することでより一層顕著に得ることができる。
条件式（３）の上限を超えると、第４レンズ群Ｇ４中の最も像側の正単レンズ４４のパワーが強くなりすぎて、特に短焦点距離端におけるコマ収差が増大してしまう。
条件式（３）の下限を超えると、第４レンズ群Ｇ４中の最も物体側の正単レンズ４１のパワーが強くなりすぎて、球面収差、軸上色収差、コマ収差、像面湾曲が増大してしまう。また、第４レンズ群Ｇ４内の屈折力をバランスさせるために第４レンズ群Ｇ４内の負レンズ４３のパワーも同時に強くなるため（強くせざるを得ないため）、コマ収差、非点収差、歪曲が大きく発生してしまう。
【００３４】
条件式（４）及び（４’）は、第１レンズ群Ｇ１の焦点距離と、短焦点距離端における全系の焦点距離との比を規定している。
条件式（４）を満足することで、第１レンズ群Ｇ１の変倍移動量を適度に抑えて光学系の小型化（全長の短縮化）を図るとともに、特に長焦点距離端での球面収差や軸上色収差を良好に補正し、変倍時の色収差（特に倍率色収差）の変動を小さくすることができる。この効果は条件式（４’）を満足することでより一層顕著に得ることができる。
条件式（４）及び（４’）の上限を超えると、第１レンズ群Ｇ１のパワーが弱くなりすぎて、第１レンズ群Ｇ１の変倍移動量が増えて光学系の大型化を招いてしまう。また変倍時の色収差（特に倍率色収差）の変動が大きくなってしまう。
条件式（４）の下限を超えると、第１レンズ群Ｇ１のパワーが強くなりすぎて、特に長焦点距離端での球面収差や軸上色収差が増大してしまう。
【００３５】
本実施形態のズームレンズ系は、第２レンズ群中の最も像側に負レンズ２４と正レンズ２５の接合レンズを設けることで、短焦点距離端と長焦点距離端とで軸上色収差と倍率色収差をバランス良く補正することができる。
【００３６】
本実施形態のズームレンズ系は、第３レンズ群Ｇ３中の最も像側に負の非球面レンズ３４を設けることで、短焦点距離端と長焦点距離端とで球面収差、コマ収差、非点収差をバランス良く補正することができる。
【実施例】
【００３７】
次に具体的な数値実施例１−８を示す。諸収差図及び横収差図並びに表中において、ｄ線、ｇ線、Ｃ線はそれぞれの波長に対する収差、Ｓはサジタル、Ｍはメリディオナル、FNO.はＦナンバー、fは全系の焦点距離、Wは半画角（゜）、Yは像高、fB はバックフォーカス、Lはレンズ全長、Rは曲率半径、dはレンズ厚またはレンズ間隔、N(d)はｄ線に対する屈折率、ν(d)はｄ線に対するアッベ数を示す。Ｆナンバー、焦点距離、半画角、像高、バックフォーカス、レンズ全長及び変倍に伴って間隔が変化するレンズ間隔ｄは、短焦点距離端−中間焦点距離−長焦点距離端の順に示している。長さの単位は[mm]である。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数、ｘはサグ量）
【００３８】
［数値実施例１］
図１〜図６と表１〜表４は、本発明によるズームレンズ系の数値実施例１を示している。図１は短焦点距離端における無限遠合焦時のレンズ構成図、図２はその諸収差図、図３はその横収差図であり、図４は長焦点距離端における無限遠合焦時のレンズ構成図、図５はその諸収差図、図６はその横収差図である。表１は面データ、表２は各種データ、表３は非球面データ、表４はレンズ群データである。
【００３９】
本数値実施例１のズームレンズ系は、物体側から順に、正の屈折力の第１レンズ群Ｇ１と、負の屈折力の第２レンズ群Ｇ２と、正の屈折力の第３レンズ群Ｇ３と、正の屈折力の第４レンズ群Ｇ４とから構成されている。第２レンズ群Ｇ２と第３レンズ群Ｇ３の間（第３レンズ群Ｇ３の直前）には絞りＳが位置しており、この絞りＳは、第３レンズ群Ｇ３と一体に移動する。
【００４０】
第１レンズ群Ｇ１は、物体側から順に、物体側に凸の負メニスカスレンズ１１と物体側に凸の正メニスカスレンズ１２の接合レンズと、物体側に凸の正メニスカスレンズ１３とからなる。
【００４１】
第２レンズ群Ｇ２は、物体側から順に、物体側に凸の負メニスカスレンズ２１と、両凹負レンズ２２と、両凸正レンズ２３と、両凹負レンズ２４と両凸正レンズ２５の接合レンズとからなる。負メニスカスレンズ２１は、ガラスレンズの物体側の面に合成樹脂材料による非球面層が接着形成されたハイブリッドレンズからなる。このハイブリッドレンズの非球面は、光軸から離れるにしたがって正の屈折力が強くなるような形状（性質）を有している。
【００４２】
第３レンズ群Ｇ３は、物体側から順に、両凸正レンズ３１と、両凸正レンズ３２と像側に凸の負メニスカスレンズ３３の接合レンズと、両凹負レンズ３４とからなる。両凹負レンズ３４の物体側の面には非球面が形成されている。
【００４３】
第４レンズ群Ｇ４は、物体側から順に、両凸正レンズ（正単レンズ）４１と、両凸正レンズ４２と両凹負レンズ４３の接合レンズ（負の接合レンズ群）と、両凸正レンズ（正単レンズ）４４とからなる。両凸正レンズ４１の像側の面には非球面が形成されている。第４レンズ群Ｇ４中の最も物体側の両凸正レンズ（正単レンズ）４１と最も像側の両凸正レンズ（正単レンズ）４４はともに、ｄ線に対するアッベ数が７３を超える異常分散性を示す硝材からなる。
【００４４】
（表１）
面データ
面番号          R          d          N(d)        ν(d)
1           345.162      1.600      1.84666       23.8
2            87.666      5.788      1.77250       49.6
3           840.691      0.150
4            60.115      4.797      1.80400       46.6
5           155.158        d5
6*           54.995      0.200      1.52972       42.7
7            48.193      1.250      1.88300       40.8
8            12.493      7.732
9           -29.668      1.200      1.77250       49.6
10           54.485      0.469
11           34.364      4.255      1.76182       26.5
12          -43.004      0.579
13          -30.485      1.200      1.80400       46.6
14          157.473      3.076      1.76182       26.5
15          -65.048       d15
16絞           ∞       0.800
17           30.478      4.950      1.51633       64.1
18          -31.134      0.150
19           32.939      4.330      1.51633       64.1
20          -23.690      1.200      1.79952       42.2
21         -404.729      2.261
22*         -28.209      1.200      1.74330       49.3
23          587.530       d23
24           30.626      4.787      1.49700       81.6
25*         -68.242      0.150
26          342.777      2.426      1.61800       63.4
27          -83.347      1.200      1.88300       40.8
28           33.370      2.010
29          117.624      5.226      1.53775       74.7
30          -21.976        -
（表２）
各種データ
ズーム比（変倍比）    5.00
短焦点距離端          中間焦点距離          長焦点距離端
FNO.            3.6                   4.4                   5.8
f             16.48                 35.00                 82.45
W              42.1                  21.8                   9.6
Y             14.24                 14.24                 14.24
fB            38.99                 57.54                 83.47
L            136.98                156.35                194.32
d5            2.523                22.037                44.543
d15          25.030                10.550                 1.825
d23           7.451                 3.240                 1.500
（表３）
非球面データ（表示していない非球面係数は0.00である）
面番号   K          A4           A6           A8          A10
6     0.000    0.1598E-04  -0.2837E-07  -0.5046E-11   0.6249E-13
22    0.000    0.1291E-04  -0.4793E-08  -0.2705E-10
25    0.000    0.4185E-04  -0.4956E-07   0.7569E-10  -0.7196E-12
（表４）
レンズ群データ
群          始面          焦点距離
1              1            110.86
2              6            -14.39
3             17             49.49
4             24             41.40
【００４５】
［数値実施例２］
図７〜図１２と表５〜表８は、本発明によるズームレンズ系の数値実施例２を示している。図７は短焦点距離端における無限遠合焦時のレンズ構成図、図８はその諸収差図、図９はその横収差図であり、図１０は長焦点距離端における無限遠合焦時のレンズ構成図、図１１はその諸収差図、図１２はその横収差図である。表５は面データ、表６は各種データ、表７は非球面データ、表８はレンズ群データである。
【００４６】
この数値実施例２のレンズ構成は、数値実施例１のレンズ構成と同様である。
【００４７】
（表５）
面データ
面番号          R          d          N(d)        ν(d)
1           181.605      1.600      1.84666       23.8
2            82.554      5.158      1.69680       55.5
3           328.884      0.150
4            61.734      4.792      1.77250       49.6
5           174.009        d5
6*           71.492      0.200      1.52972       42.7
7            56.566      1.250      1.88300       40.8
8            13.034      7.320
9           -36.136      1.200      1.77250       49.6
10           60.169      0.712
11           36.871      3.742      1.80000       29.9
12          -65.435      1.132
13          -26.844      1.200      1.80400       46.6
14           56.797      3.172      1.76182       26.5
15          -49.928       d15
16絞           ∞       0.800
17           33.103      4.674      1.51633       64.1
18          -32.911      0.150
19           32.989      4.053      1.48749       70.2
20          -27.517      1.200      1.79952       42.2
21         -138.620      2.156
22*         -27.458      1.200      1.69350       53.2
23          547.796       d23
24           34.762      3.939      1.49700       81.6
25*         -37.590      0.882
26          443.181      2.458      1.53775       74.7
27          -75.754      1.200      1.88300       40.8
28           33.280      3.730
29          194.209      5.495      1.49700       81.6
30          -22.077        -
（表６）
各種データ
ズーム比（変倍比）    5.18
短焦点距離端          中間焦点距離          長焦点距離端
FNO.            3.6                   4.4                   5.8
f             16.48                 35.00                 82.45
W              42.1                  21.8                   9.6
Y             14.24                 14.24                 14.24
fB            38.32                 58.77                 86.15
L            137.51                156.99                197.59
d5            2.500                21.000                44.353
d15          25.082                10.163                 1.740
d23           8.039                 3.484                 1.513
（表７）
非球面データ（表示していない非球面係数は0.00である）
面番号   K          A4           A6           A8          A10
6     0.000    0.2048E-04  -0.5402E-07   0.1223E-09  -0.1520E-12
22    0.000    0.1439E-04   0.1246E-07  -0.6036E-10
25    0.000    0.4397E-04  -0.3434E-07  -0.4273E-10   0.2446E-12
（表８）
レンズ群データ
群          始面          焦点距離
1              1            112.48
2              6            -14.07
3             17             48.07
4             24             44.48
【００４８】
［数値実施例３］
図１３〜図１８と表９〜表１２は、本発明によるズームレンズ系の数値実施例３を示している。図１３は短焦点距離端における無限遠合焦時のレンズ構成図、図１４はその諸収差図、図１５はその横収差図であり、図１６は長焦点距離端における無限遠合焦時のレンズ構成図、図１７はその諸収差図、図１８はその横収差図である。表９は面データ、表１０は各種データ、表１１は非球面データ、表１２はレンズ群データである。
【００４９】
この数値実施例３のレンズ構成は、数値実施例１、２のレンズ構成と同様である。
【００５０】
（表９）
面データ
面番号          R          d          N(d)        ν(d)
1           183.514      1.600      1.84666       23.8
2            85.715      5.201      1.65160       58.5
3           398.373      0.150
4            61.505      4.809      1.77250       49.6
5           173.706        d5
6*           73.510      0.200      1.52972       42.7
7            57.896      1.250      1.88300       40.8
8            13.054      7.221
9           -36.240      1.200      1.77250       49.6
10           60.828      0.719
11           36.963      3.833      1.80000       29.9
12          -65.699      1.156
13          -26.916      1.200      1.80400       46.6
14           56.045      3.181      1.76182       26.5
15          -49.915       d15
16絞           ∞       0.800
17           33.389      4.071      1.51633       64.1
18          -32.543      0.150
19           33.197      3.894      1.48749       70.2
20          -27.696      1.200      1.79952       42.2
21         -137.457      2.157
22*         -27.394      1.200      1.69350       53.2
23          569.094       d23
24           34.636      3.977      1.48563       85.2
25*         -36.613      1.041
26          415.185      2.471      1.59522       67.7
27          -75.179      1.200      1.88300       40.8
28           32.480      3.926
29          188.411      5.682      1.49700       81.6
30          -22.287        -
（表１０）
各種データ
ズーム比（変倍比）    5.00
短焦点距離端          中間焦点距離          長焦点距離端
FNO.            3.6                  4.4                   5.8
f             16.48                 35.00                 82.45
W              42.1                  21.8                   9.6
Y             14.24                 14.24                 14.24
fB            38.32                 58.83                 86.24
L            137.57                157.00                197.32
d5            2.500                21.000                44.353
d15          25.091                10.160                 1.740
d23           8.167                 3.518                 1.500
（表１１）
非球面データ（表示していない非球面係数は0.00である）
面番号   K          A4           A6           A8          A10
6     0.000    0.2064E-04  -0.5512E-07   0.1239E-09  -0.1536E-12
22    0.000    0.1425E-04   0.1348E-07  -0.6159E-10
25    0.000    0.4453E-04  -0.3509E-07  -0.1478E-10   0.6145E-13
（表１２）
レンズ群データ
群          始面          焦点距離
1              1            112.26
2              6            -14.08
3             17             48.30
4             24             44.67
【００５１】
［数値実施例４］
図１９〜図２４と表１３〜表１６は、本発明によるズームレンズ系の数値実施例４を示している。図１９は短焦点距離端における無限遠合焦時のレンズ構成図、図２０はその諸収差図、図２１はその横収差図であり、図２２は長焦点距離端における無限遠合焦時のレンズ構成図、図２３はその諸収差図、図２４はその横収差図である。表１３は面データ、表１４は各種データ、表１５は非球面データ、表１６はレンズ群データである。
【００５２】
この数値実施例４のレンズ構成は、数値実施例１−３のレンズ構成と同様である。
【００５３】
（表１３）
面データ
面番号          R          d          N(d)        ν(d)
1           183.545      1.600      1.84666       23.8
2            84.641      5.193      1.65160       58.5
3           372.648      0.150
4            61.084      4.874      1.77250       49.6
5           173.014        d5
6*           77.620      0.200      1.52972       42.7
7            58.701      1.250      1.88300       40.8
8            13.081      7.291
9           -37.212      1.200      1.72916       54.7
10           54.495      0.603
11           34.789      3.818      1.80000       29.9
12          -67.333      1.162
13          -26.746      1.200      1.80400       46.6
14           69.377      2.990      1.76182       26.5
15          -52.797       d15
16絞           ∞       0.800
17           32.709      3.499      1.51633       64.1
18          -32.126      0.150
19           32.630      4.292      1.51633       64.1
20          -27.046      1.200      1.78590       44.2
21         -244.720      2.531
22*         -27.348      1.200      1.74330       49.3
23         1481.602       d23
24           41.842      4.337      1.45880       90.0
25*         -41.550      0.227
26          335.912      3.152      1.53775       74.7
27          -72.425      1.200      1.88300       40.8
28           34.912      2.528
29           76.359      6.093      1.49700       81.6
30          -21.288        -
（表１４）
各種データ
ズーム比（変倍比）    5.00
短焦点距離端          中間焦点距離          長焦点距離端
FNO.            3.6                   4.4                   5.8
f             16.48                 35.00                 82.45
W              42.1                  21.8                   9.7
Y             14.24                 14.24                 14.24
fB            38.82                 59.32                 86.97
L            137.31                156.70                197.32
d5            2.500                21.000                44.351
d15          25.293                10.230                 1.742
d23           7.958                 3.417                 1.515
（表１５）
非球面データ（表示していない非球面係数は0.00である）
面番号   K          A4           A6           A8          A10
6     0.000    0.2059E-04  -0.4297E-07   0.4668E-10   0.2289E-13
22    0.000    0.1317E-04  -0.1163E-07   0.1012E-09
25    0.000    0.4551E-04  -0.5197E-07   0.2609E-09  -0.1123E-11
（表１６）
レンズ群データ
群          始面          焦点距離
1              1            113.15
2              6            -14.16
3             17             46.63
4             24             43.35
【００５４】
［数値実施例５］
図２５〜図３０と表１７〜表２０は、本発明によるズームレンズ系の数値実施例５を示している。図２５は短焦点距離端における無限遠合焦時のレンズ構成図、図２６はその諸収差図、図２７はその横収差図であり、図２８は長焦点距離端における無限遠合焦時のレンズ構成図、図２９はその諸収差図、図３０はその横収差図である。表１７は面データ、表１８は各種データ、表１９は非球面データ、表２０はレンズ群データである。
【００５５】
この数値実施例５のレンズ構成は、数値実施例１−４のレンズ構成と同様である。
【００５６】
（表１７）
面データ
面番号          R          d          N(d)        ν(d)
1           183.308      1.600      1.84666       23.8
2            86.348      5.268      1.65160       58.5
3           441.952      0.150
4            62.250      4.725      1.77250       49.6
5           171.202        d5
6*           76.776      0.200      1.52972       42.7
7            58.802      1.250      1.88300       40.8
8            12.977      7.328
9           -33.688      1.200      1.72916       54.7
10           62.720      0.450
11           36.217      3.791      1.80000       29.9
12          -63.236      1.134
13          -26.686      1.200      1.80400       46.6
14           76.261      2.977      1.76182       26.5
15          -50.810       d15
16絞           ∞       0.800
17           33.618      4.058      1.51633       64.1
18          -31.673      0.150
19           32.846      3.919      1.51633       64.1
20          -26.919      1.200      1.78590       44.2
21         -210.123      2.226
22*         -27.400      1.200      1.74330       49.3
23         1595.122       d23
24           34.715      4.069      1.45880       90.0
25*         -33.983      0.739
26          303.864      2.583      1.53775       74.7
27          -67.633      1.200      1.88300       40.8
28           33.740      3.370
29          163.155      6.601      1.53775       74.7
30          -23.668        -
（表１８）
各種データ
ズーム比（変倍比）    5.00
短焦点距離端          中間焦点距離          長焦点距離端
FNO.            3.6                  4.4                   5.8
f             16.48                 35.00                 82.45
W              42.1                  21.8                   9.7
Y             14.24                 14.24                 14.24
fB            38.32                 58.76                 86.34
L            137.56                156.98                197.32
d5            2.500                21.078                44.353
d15          25.133                10.179                 1.740
d23           8.222                 3.570                 1.502
（表１９）
非球面データ（表示していない非球面係数は0.00である）
面番号   K          A4           A6           A8          A10
6     0.000    0.2211E-04  -0.6158E-07   0.1518E-09  -0.2100E-12
22    0.000    0.1318E-04   0.1755E-07  -0.5944E-10
25    0.000    0.4520E-04  -0.1810E-07  -0.1144E-09  -0.8523E-13
（表２０）
レンズ群データ
群          始面          焦点距離
1              1            112.68
2              6            -14.13
3             17             48.06
4             24             43.76
【００５７】
［数値実施例６］
図３１〜図３６と表２１〜表２４は、本発明によるズームレンズ系の数値実施例６を示している。図３１は短焦点距離端における無限遠合焦時のレンズ構成図、図３２はその諸収差図、図３３はその横収差図であり、図３４は長焦点距離端における無限遠合焦時のレンズ構成図、図３５はその諸収差図、図３６はその横収差図である。表２１は面データ、表２２は各種データ、表２３は非球面データ、表２４はレンズ群データである。
【００５８】
この数値実施例６のレンズ構成は、数値実施例１−５のレンズ構成と同様である。
【００５９】
（表２１）
面データ
面番号          R          d          N(d)        ν(d)
1           353.940      1.600      1.84666       23.8
2            89.013      5.775      1.77250       49.6
3           960.923      0.150
4            59.697      4.798      1.80400       46.6
5           150.934        d5
6*           58.001      0.200      1.52972       42.7
7            49.799      1.250      1.88300       40.8
8            12.529      7.763
9           -30.473      1.200      1.77250       49.6
10           55.392      0.490
11           34.691      4.327      1.80000       29.9
12          -46.894      0.749
13          -30.579      1.200      1.80400       46.6
14           54.172      3.091      1.76182       26.5
15          -65.823       d15
16絞           ∞       0.800
17           30.753      4.674      1.51633       64.1
18          -31.696      0.150
19           32.757      4.962      1.51633       64.1
20          -23.737      1.200      1.79952       42.2
21         -399.459      2.269
22*         -27.993      1.200      1.74330       49.3
23          593.392       d23
24           30.795      3.761      1.43875       95.0
25*         -48.395      0.150
26          346.197      3.013      1.61800       63.4
27          -94.727      1.200      1.88300       40.8
28           33.542      2.004
29          117.703      5.237      1.53775       74.7
30          -21.950        -
（表２２）
各種データ
ズーム比（変倍比）    5.00
短焦点距離端          中間焦点距離          長焦点距離端
FNO.            3.6                   4.4                   5.8
f             16.48                 35.00                 82.45
W              42.1                  21.8                   9.6
Y             14.24                 14.24                 14.24
fB            38.82                 57.52                 83.19
L            136.85                156.23                194.27
d5            2.500                21.833                44.537
d15          24.915                10.457                 1.830
d23           7.404                 3.212                 1.500
（表２３）
非球面データ（表示していない非球面係数は0.00である）
面番号   K          A4           A6           A8          A10
6     0.000    0.1700E-04  -0.3496E-07   0.2908E-10   0.1082E-14
22    0.000    0.1193E-04   0.2628E-08  -0.4773E-10
25    0.000    0.4622E-04  -0.4428E-07   0.2903E-10  -0.7068E-12
（表２４）
レンズ群データ
群          始面          焦点距離
1              1            110.56
2              6            -14.34
3             17             48.86
4             24             40.86
【００６０】
［数値実施例７］
図３７〜図４２と表２５〜表２８は、本発明によるズームレンズ系の数値実施例７を示している。図３７は短焦点距離端における無限遠合焦時のレンズ構成図、図３８はその諸収差図、図３９はその横収差図であり、図４０は長焦点距離端における無限遠合焦時のレンズ構成図、図４１はその諸収差図、図４２はその横収差図である。表２５は面データ、表２６は各種データ、表２７は非球面データ、表２８はレンズ群データである。
【００６１】
この数値実施例７のレンズ構成は、数値実施例１−６のレンズ構成と同様である。
【００６２】
（表２５）
面データ
面番号          R          d          N(d)        ν(d)
1           320.342      1.600      1.84666       23.8
2            99.526      5.234      1.77250       49.6
3           936.764      0.150
4            58.323      4.958      1.72916       54.7
5           154.400        d5
6*           59.742      0.200      1.52972       42.7
7            51.376      1.250      1.88300       40.8
8            12.645      7.610
9           -31.066      1.200      1.77250       49.6
10           51.663      0.559
11           34.438      4.374      1.80000       29.9
12          -46.536      0.644
13          -30.768      1.200      1.80400       46.6
14           56.616      2.977      1.76182       26.5
15          -66.461       d15
16絞           ∞       0.800
17           30.513      5.019      1.51633       64.1
18          -31.241      0.150
19           32.346      4.527      1.51633       64.1
20          -23.150      1.200      1.80610       40.9
21         -412.863      2.267
22*         -27.893      1.200      1.74330       49.3
23          652.724       d23
24           32.852      4.840      1.53775       74.7
25*         -68.096      0.150
26          358.293      2.435      1.60300       65.5
27          -81.315      1.200      1.88300       40.8
28           33.717      2.021
29          117.749      5.218      1.53775       74.7
30          -22.120        -
（表２６）
各種データ
ズーム比（変倍比）    5.00
短焦点距離端          中間焦点距離          長焦点距離端
FNO.            3.5                   4.4                   5.8
f             16.48                 35.00                 82.45
W              42.1                  21.8                   9.6
Y             14.24                 14.24                 14.24
fB            38.82                 57.45                 83.45
L            136.43                156.06                194.31
d5            2.500                21.900                44.532
d15          25.042                10.539                 1.836
d23           7.087                 3.183                 1.509
（表２７）
非球面データ（表示していない非球面係数は0.00である）
面番号   K          A4           A6           A8          A10
6     0.000    0.1669E-04  -0.3178E-07   0.4808E-11   0.5329E-13
22    0.000    0.1537E-04  -0.1656E-07   0.9783E-10
25    0.000    0.3986E-04  -0.4762E-07   0.4148E-10  -0.2689E-12
（表２８）
レンズ群データ
群          始面          焦点距離
1              1            111.35
2              6            -14.39
3             17             49.86
4             24             40.76
【００６３】
［数値実施例８］
図４３〜図４８と表２９〜表３２は、本発明によるズームレンズ系の数値実施例８を示している。図４３は短焦点距離端における無限遠合焦時のレンズ構成図、図４４はその諸収差図、図４５はその横収差図であり、図４６は長焦点距離端における無限遠合焦時のレンズ構成図、図４７はその諸収差図、図４８はその横収差図である。表２９は面データ、表３０は各種データ、表３１は非球面データ、表３２はレンズ群データである。
【００６４】
この数値実施例８のレンズ構成は、第２レンズ群Ｇ２の負レンズ２２が（両凹負レンズではなく）像側に凸の負メニスカスレンズである点を除き、数値実施例１−７のレンズ構成と同様である。
【００６５】
（表２９）
面データ
面番号          R          d          N(d)        ν(d)
1           306.717      1.600      1.84666       23.8
2            92.264      6.016      1.72916       54.7
3         15253.655      0.150
4            57.524      4.937      1.77250       49.6
5           150.500        d5
6*          106.332      0.200      1.52972       42.7
7            69.974      1.250      1.91082       35.2
8            12.433      7.511
9           -26.899      1.200      1.77250       49.6
10         -262.884      0.050
11           46.916      3.304      1.80000       29.9
12          -85.869      1.221
13          -28.211      1.200      1.77250       49.6
14           26.509      4.044      1.76182       26.5
15          -55.300       d15
16絞           ∞       0.800
17           33.347      3.809      1.52249       59.8
18          -28.466      0.150
19           37.706      4.319      1.51633       64.1
20          -19.253      1.200      1.78590       44.2
21         -188.187      2.085
22*         -31.493      1.200      1.67790       55.3
23         6980.912       d23
24           33.444      5.250      1.45880       90.0
25*         -34.476      0.676
26          157.320      3.528      1.48749       70.2
27          -31.135      1.200      1.88300       40.8
28           37.233      2.681
29          270.384      5.332      1.53775       74.7
30          -21.313        -
（表３０）
各種データ
ズーム比（変倍比）    5.37
短焦点距離端          中間焦点距離          長焦点距離端
FNO.            3.6                   4.4                   5.8
f             16.48                 35.00                 88.54
W              42.2                  21.7                   9.0
Y             14.24                 14.24                 14.24
fB            38.32                 58.34                 85.92
L            138.59                158.39                198.42
d5            2.500                21.324                44.350
d15          22.686                 9.803                 1.740
d23          10.175                 4.014                 1.500
（表３１）
非球面データ（表示していない非球面係数は0.00である）
面番号   K          A4           A6           A8          A10
6     0.000    0.3021E-04  -0.1104E-06   0.3429E-09  -0.6076E-12
22    0.000    0.1049E-04   0.3191E-07  -0.8628E-10
25    0.000    0.3840E-04  -0.4886E-08  -0.5299E-09   0.3057E-11
（表３２）
レンズ群データ
群          始面          焦点距離
1              1            101.16
2              6            -12.81
3             17             44.20
4             24             46.65
【００６６】
各数値実施例の各条件式に対する値を表３３に示す。
（表３３）
実施例１      実施例２      実施例３      実施例４
条件式（１）
正単レンズ４１       81.6          81.6          85.2          90.0
正単レンズ４４       74.7          81.6          81.6          81.6
条件式（２）         81.6          81.6          85.2          90.0
条件式（３）         1.24          0.92          0.92          1.35
条件式（４）         6.73          6.83          6.81          6.87
実施例５      実施例６      実施例７      実施例８
条件式（１）
正単レンズ４１       90.0          94.9          74.7          90.0
正単レンズ４４       74.7          74.7          74.7          74.7
条件式（２）         90.0          94.9          74.7          90.0
条件式（３）         0.98          1.25          1.19          1.03
条件式（４）         6.84          6.71          6.76          6.14
【００６７】
表３３から明らかなように、数値実施例１〜数値実施例８は、条件式（１）〜条件式（４）を満足しており、諸収差図及び横収差図から明らかなように諸収差及び横収差は比較的よく補正されている。
【００６８】
本発明の特許請求の範囲に含まれるズームレンズ系に、実質的なパワーを有さないレンズまたはレンズ群を追加したとしても、本発明の技術的範囲に含まれる（本発明の技術的範囲を回避したことにはならない）。
【符号の説明】
【００６９】
Ｇ１  正の屈折力の第１レンズ群
１１  負レンズ
１２  正レンズ
１３  正レンズ
Ｇ２  負の屈折力の第２レンズ群
２１  負レンズ
２２  負レンズ
２３  正レンズ
２４  負レンズ
２５  正レンズ
Ｇ３  正の屈折力の第３レンズ群
３１  正レンズ
３２  正レンズ
３３  負レンズ
３４  負レンズ
Ｇ４  正の屈折力の第４レンズ群
４１  正レンズ（正単レンズ）
４２  正レンズ（接合レンズ、負の接合レンズ群）
４３  負レンズ（接合レンズ、負の接合レンズ群）
４４  正レンズ（正単レンズ）
Ｓ  絞り
Ｉ  像面
【図１】
0006467900.tif 000002
【図２】
0006467900.tif 000003
【図３】
0006467900.tif 000004
【図４】
0006467900.tif 000005
【図５】
0006467900.tif 000006
【図６】
0006467900.tif 000007
【図７】
0006467900.tif 000008
【図８】
0006467900.tif 000009
【図９】
0006467900.tif 000010
【図１０】
0006467900.tif 000011
【図１１】
0006467900.tif 000012
【図１２】
0006467900.tif 000013
【図１３】
0006467900.tif 000014
【図１４】
0006467900.tif 000015
【図１５】
0006467900.tif 000016
【図１６】
0006467900.tif 000017
【図１７】
0006467900.tif 000018
【図１８】
0006467900.tif 000019
【図１９】
0006467900.tif 000020
【図２０】
0006467900.tif 000021
【図２１】
0006467900.tif 000022
【図２２】
0006467900.tif 000023
【図２３】
0006467900.tif 000024
【図２４】
0006467900.tif 000025
【図２５】
0006467900.tif 000026
【図２６】
0006467900.tif 000027
【図２７】
0006467900.tif 000028
【図２８】
0006467900.tif 000029
【図２９】
0006467900.tif 000030
【図３０】
0006467900.tif 000031
【図３１】
0006467900.tif 000032
【図３２】
0006467900.tif 000033
【図３３】
0006467900.tif 000034
【図３４】
0006467900.tif 000035
【図３５】
0006467900.tif 000036
【図３６】
0006467900.tif 000037
【図３７】
0006467900.tif 000038
【図３８】
0006467900.tif 000039
【図３９】
0006467900.tif 000040
【図４０】
0006467900.tif 000041
【図４１】
0006467900.tif 000042
【図４２】
0006467900.tif 000043
【図４３】
0006467900.tif 000044
【図４４】
0006467900.tif 000045
【図４５】
0006467900.tif 000046
【図４６】
0006467900.tif 000047
【図４７】
0006467900.tif 000048
【図４８】
0006467900.tif 000049
【図４９】
0006467900.tif 000050